(57)【要約】【課題】  画像配信者にディスクスペースを提供し、当該画像配信者からアップロードされた配信用画像又は配信用画像を含むウェブページを配信するサービスにおいて、上記配信用画像等を閲覧した閲覧者に対してその趣味、嗜好に適した広告を配信するとともに、広告の配信による広告収入を得ることができる広告提供システム及び広告提供プログラムを提供する。【解決手段】  本実施形態の広告提供システム１０は、同システムの管理者に対して広告料金を支払った広告提供者１００から広告サイトのアップロードを受け付けるとともに、画像配信者１０２から配信用画像又は配信用画像を含むウェブページのアップロードを受け付ける。そして、広告提供システム１０は、上記配信用画像と関連が深い広告サイト及び類似画像を含む関連サイトを選択して、上記選択された広告サイト及び関連サイトへのリンクとともに閲覧者１０４に配信する。【選択図】      図１
2007226345.tif 000002
【特許請求の範囲】
【請求項１】
広告サイトを登録する広告サイト登録手段と、
前記登録された広告サイトを所定のカテゴリに分類する広告サイト分類手段と、
ユーザから配信用画像のアップロードを受け付ける配信用画像受付手段と、
前記アップロードされた配信用画像の画像特徴量を取得する画像特徴量取得手段と、
前記画像特徴量に応じて前記配信用画像と関連が深い広告サイトのカテゴリを選択する選択手段と、
前記広告サイトへのリンクとともに前記配信用画像を閲覧者に配信する配信手段と、
を備えることを特徴とする広告提供システム。
【請求項２】
前記ユーザからアップロードされた配信用画像の画像特徴量に基づいて、複数のユーザによりアップロードされた配信用画像の中から前記配信用画像と類似する類似画像を選択する類似画像選択手段を更に備え、
前記配信手段は、前記広告サイトへのリンク及び前記選択された類似画像へのリンクとともに前記配信用画像を前記閲覧者に配信することを特徴とする請求項１記載の広告提供システム。
【請求項３】
前記閲覧者によって前記広告サイトへのリンクが使用されたことを検知し、前記広告サイトへのリンクの使用回数をカウントするカウント手段と、
前記使用回数に応じて、前記広告サイトの提供者又は前記ユーザの少なくとも一方に対して、所定のショッピングサイトにおいて金券又は割引券として利用可能なポイントを付与するポイント付与手段と、
を更に備えることを特徴とする請求項１又は２記載の広告提供システム。
【請求項４】
広告サイトを登録する広告サイト登録機能と、
前記登録された広告サイトを所定のカテゴリに分類する広告サイト分類機能と、
ユーザから配信用画像のアップロードを受け付ける配信用画像受付機能と、
前記アップロードされた配信用画像の画像特徴量を取得する画像特徴量取得機能と、
前記画像特徴量に応じて前記配信用画像と関連が深い広告サイトのカテゴリを選択する選択機能と、
前記広告サイトへのリンクとともに前記配信用画像を閲覧者に配信する配信機能と、
をコンピュータに実現させることを特徴とする広告提供プログラム。
【請求項５】
前記ユーザからアップロードされた配信用画像の画像特徴量に基づいて、複数のユーザによりアップロードされた配信用画像の中から前記配信用画像と類似する類似画像を選択する類似画像選択機能と、
前記広告サイトへのリンク及び前記選択された類似画像へのリンクとともに前記配信用画像を前記閲覧者に配信する機能と、
をコンピュータに実現させることを特徴とする請求項４記載の広告提供プログラム。
【請求項６】
前記閲覧者によって前記広告サイトへのリンクが使用されたことを検知し、前記広告サイトへのリンクの使用回数をカウントするカウント機能と、
前記使用回数に応じて、前記広告サイトの提供者又は前記ユーザの少なくとも一方に対して、所定のショッピングサイトにおいて金券又は割引券として利用可能なポイントを付与するポイント付与機能と、
をコンピュータに実現させることを特徴とする請求項４又は５記載の広告提供プログラム。
【発明の詳細な説明】
【技術分野】
【０００１】
本発明は広告提供システム及び広告提供プログラムに係り、特にネットワークを介して広告を配信する技術に関する。
【背景技術】
【０００２】
従来、ユーザのアクセス履歴や入力情報から、ユーザの趣味をカテゴリに分類して、ユーザのＩＰアドレスと対応付けて蓄積し、ユーザの趣味に適した広告情報を広告データベースから選択してユーザ端末に配信するインターネット広告提供システムが提案されている（特許文献１）。
【０００３】
また、「Google（登録商標）」に代表されるインターネットの検索サイトにおいて、ユーザが入力した検索用の文字列を取得し、検索結果を表示する際に、上記文字列に関連するサイトへのリンクを広告として表示させて、広告収入を得ることが行われている。
【特許文献１】特開２００２−１３２８２２号公報
【発明の開示】
【発明が解決しようとする課題】
【０００４】
ところで、近年、個人等の画像配信者にディスクスペースを提供し、当該ディスクスペースに画像配信者からアップロードされたウェブサイトを配信するサービスが行われている。また、「flickr（登録商標）」に代表される画像共有サイトにおいて、画像をアップロードするためのディスクスペースや、複数のユーザ間で画像を共有するためのツールを提供するサービスが行われている。上記のようなサービスは、ディスクスペース等の提供に対する対価により運営されるのが一般的であり、上記特許文献１や検索サイトのように、閲覧者により入力された文字列に基づいてウェブサイトの閲覧者の趣味、嗜好を推定することができないため、閲覧者の趣味、嗜好に適した広告を配信することにより広告収入等を得ることはできなかった。
【０００５】
本発明はこのような事情に鑑みてなされたもので、画像配信者にディスクスペースを提供し、当該画像配信者からアップロードされた配信用画像又は配信用画像を含むウェブページを配信するサービスにおいて、上記配信用画像等を閲覧した閲覧者に対してその趣味、嗜好に適した広告を配信するとともに、広告の配信による広告収入を得ることができる広告提供システム及び広告提供プログラムを提供することを目的とする。
【課題を解決するための手段】
【０００６】
上記目的を達成するために請求項１に係る広告提供システムは、広告サイトを登録する広告サイト登録手段と、前記登録された広告サイトを所定のカテゴリに分類する広告サイト分類手段と、ユーザから配信用画像のアップロードを受け付ける配信用画像受付手段と、前記アップロードされた配信用画像の画像特徴量を取得する画像特徴量取得手段と、前記画像特徴量に応じて前記配信用画像と関連が深い広告サイトのカテゴリを選択する選択手段と、前記広告サイトへのリンクとともに前記配信用画像を閲覧者に配信する配信手段とを備えることを特徴とする。
【０００７】
請求項１に係る広告提供システムによれば、配信用画像の画像特徴量に基づいて選択され、上記配信用画像を閲覧対象として選択したウェブページの閲覧者の趣味、嗜好に合った広告サイトへのリンクを配信でき、検索用の文字列の入力を行わない画像共有サイト等の一般のウェブページを配信するサービス事業者であっても広告リンクの配信による広告収入を得ることができるとともに、閲覧者に対する広告効果を高めることができる。
【０００８】
請求項２に係る広告提供システムは、請求項１において、前記ユーザからアップロードされた配信用画像の画像特徴量に基づいて、複数のユーザによりアップロードされた配信用画像の中から前記配信用画像と類似する類似画像を選択する類似画像選択手段を更に備え、前記配信手段は、前記広告サイトへのリンク及び前記選択された類似画像へのリンクとともに前記配信用画像を前記閲覧者に配信することを特徴とする。
【０００９】
請求項２に係る広告提供システムによれば、配信用画像とともに、配信用画像と類似する類似画像を含む関連サイトへの関連リンクを配信することにより、閲覧者を関連サイトに誘導できる。これにより、関連サイトに表示された広告リンクを閲覧者に配信できるので、広告効果をより高めることができる。
【００１０】
請求項３に係る広告提供システムは、請求項１又は２において、前記閲覧者によって前記広告サイトへのリンクが使用されたことを検知し、前記広告サイトへのリンクの使用回数をカウントするカウント手段と、前記使用回数に応じて、前記広告サイトの提供者又は前記ユーザの少なくとも一方に対して、所定のショッピングサイトにおいて金券又は割引券として利用可能なポイントを付与するポイント付与手段とを更に備えることを特徴とする。
【００１１】
請求項３に係る広告提供システムによれば、画像や画像を含むウェブサイトを配信する画像配信者や広告提供者に対してポイントを付与することにより、画像配信者や広告提供者に対して広告提供システムを利用するモチベーションを与えることができる。これにより、画像配信者や広告提供者の登録数や、登録される配信用画像の数を増加させることができ、広告効果をより高めることができる。
【００１２】
請求項４に係る広告提供プログラムは、広告サイトを登録する広告サイト登録機能と、前記登録された広告サイトを所定のカテゴリに分類する広告サイト分類機能と、ユーザから配信用画像のアップロードを受け付ける配信用画像受付機能と、前記アップロードされた配信用画像の画像特徴量を取得する画像特徴量取得機能と、前記画像特徴量に応じて前記配信用画像と関連が深い広告サイトのカテゴリを選択する選択機能と、前記広告サイトへのリンクとともに前記配信用画像を閲覧者に配信する配信機能とをコンピュータに実現させることを特徴とする。
【００１３】
請求項５に係る広告提供プログラムは、請求項４において、前記ユーザからアップロードされた配信用画像の画像特徴量に基づいて、複数のユーザによりアップロードされた配信用画像の中から前記配信用画像と類似する類似画像を選択する類似画像選択機能と、前記広告サイトへのリンク及び前記選択された類似画像へのリンクとともに前記配信用画像を前記閲覧者に配信する機能とをコンピュータに実現させることを特徴とする。
【００１４】
請求項６に係る広告提供プログラムは、請求項４又は５において、前記閲覧者によって前記広告サイトへのリンクが使用されたことを検知し、前記広告サイトへのリンクの使用回数をカウントするカウント機能と、前記使用回数に応じて、前記広告サイトの提供者又は前記ユーザの少なくとも一方に対して、所定のショッピングサイトにおいて金券又は割引券として利用可能なポイントを付与するポイント付与機能とをコンピュータに実現させることを特徴とする。
【００１５】
請求項４から６の広告提供プログラムをインターネット・サービス・プロバイダ等が提供するウェブサーバに適用することにより、本発明の広告提供システムを実現することができる。
【発明の効果】
【００１６】
本発明によれば、配信用画像を閲覧対象として選択したウェブページの閲覧者の趣味、嗜好に合った広告サイトを配信用画像の画像特徴量に基づいて選択し当該広告サイトへのリンクを配信用画像とともに配信できる。これにより、検索用の文字列の入力を行わない画像共有サイト等の一般のウェブページを配信するサービス事業者であっても広告リンクの配信による広告収入を得ることができる。
【発明を実施するための最良の形態】
【００１７】
以下、添付図面に従って本発明に係る広告提供システム及び広告提供プログラムの好ましい実施の形態について説明する。
【００１８】
図１は、本発明の一実施形態に係る広告提供システムの構成を示す図である。図１に示すように、本実施形態の広告提供システム１０は、画像配信者１０２に配信用画像を記憶するためのディスクスペースを提供し、配信用画像を閲覧するための登録を行った閲覧者１０４からのアクセス要求に応じて配信用画像を配信するための画像共有サイトを提供するサービスを行うサーバである。上記広告提供システム１０は、同システムの管理者に対して広告料金を支払った広告提供者１００から広告サイトのアップロードを受け付けるとともに、画像配信者１０２から配信用画像又は配信用画像を含むウェブページのアップロードを受け付ける。そして、広告提供システム１０は、上記配信用画像と関連が深い広告サイトを選択して、上記選択された広告サイトへのリンク（広告リンク）とともに閲覧者１０４に配信する。ここで、広告リンクが配信される閲覧者１０４は広告提供者１００及び画像配信者１０２を含んでいてもよい。
【００１９】
図２は、広告提供システム１０の主要構成を示すブロック図である。図２に示すように、広告提供システム１０は、広告サイト記憶部１２、広告サイト分類部１４、広告サイト配信部１６、画像記憶部１８、画像特徴量取得部２０、分類指標取得部２２、広告リンク付与部２４、関連サイト選択部２６、関連リンク付与部２８及び画像配信部３０を備える。
【００２０】
広告サイト記憶部１２は、広告提供者１００によってアップロードされた広告サイトを記憶する。広告サイト分類部１４は、上記広告サイト記憶部１２に記憶された広告サイトを所定のカテゴリ（例えば、「旅行」、「車」、「家族」、「友人」等）に分類する。なお、広告サイトが属するカテゴリについては、広告提供者１００が広告サイトのアップロード時に指定できるようにしてもよいし、自己の事業内容を予め届け出ておくことにより自動的に分類されるようにしてもよい。そして、広告サイト分類部１４は、上記カテゴリに対応する分類指標を上記広告サイトに付与して、広告サイト記憶部１２に記憶する。広告サイト配信部１６は、上記広告サイトを閲覧者１０４からのアクセス要求に応じて配信する。
【００２１】
画像記憶部１８は、画像配信者１０２によってアップロードされた配信用画像又は配信用画像を含むウェブページを記憶する。画像特徴量取得部２０は、上記配信用画像の画像特徴量を取得する。ここで、画像特徴量とは、上記配信用画像のＲＧＢの各色信号の階調値及びＤＣＴ係数である。
【００２２】
分類指標取得部２２は、上記画像特徴量に基づいて、上記配信用画像に関連する広告サイトのカテゴリを推定し、推定したカテゴリに対応する分類指標を取得する。なお、分類指標取得部２２は、広告サイトの各カテゴリに対応する代表画像又は代表画像の画像特徴量を予め記憶しており、この代表画像と上記配信用画像の画像特徴量の誤差２乗和を算出する。そして、分類指標取得部２２は、上記誤差２乗和が最小になる代表画像に対応するカテゴリの分類指標を取得する。
【００２３】
広告リンク付与部２４は、上記分類指標取得部２２によって取得された分類指標を用いて広告サイト記憶部１２を検索して、上記分類指標が付与された広告サイトを選択する。そして、広告リンク付与部２４は、上記選択した広告サイトへのリンク（バナー広告、ＵＲＬ等、以下、広告リンクという）を作成する。なお、この広告リンクには、閲覧者１０４によって使用（クリック）されたことを示す報知信号を広告提供システム１０に送信するためのコード（Javascript）が組み込まれている。
【００２４】
また、関連サイト選択部２６は、画像記憶部１８に記憶された他の画像配信者のウェブサイトの中から、上記画像特徴量に基づいて上記配信用画像と類似度が高い類似画像を含むウェブサイト（関連サイト）を選択する。ここで、画像同士の類似度は、画像間の画像特徴量の誤差２乗和が小さいものほど高くなる。関連リンク付与部２８は、上記関連サイト選択部２６によって選択された関連サイトへのリンク（関連リンク）を作成する。画像配信部３０は、閲覧者１０４からのアクセス要求に応じて、上記広告リンク及び関連リンクとともに配信用画像を配信する。
【００２５】
なお、広告サイト及び類似画像の選択の方法は上記に限定されるものではない。また、配信用画像が複数の場合、画像特徴量取得部２０により最初の又は画像サイズが最大の配信用画像の画像特徴量を取得して、広告サイトのカテゴリとの関連性や他のウェブサイトとの類似度を推定するようにすればよい。また、この場合、ウェブページ中において面積の割合が所定値以上の画像の画像特徴量から各画像とカテゴリとの関連性を推定するようにしてもよい。
【００２６】
図２に示すように、広告提供システム１０は、広告リンク使用検知部３２、広告リンク使用回数カウント部３４及びポイント付与部３６を更に備える。広告リンク使用検知部３２は、上記広告リンクが閲覧者１０４によって使用（クリック）された場合に、上記広告リンクに組み込まれたコードにより送信される報知信号を検知する。広告リンク使用回数カウント部３４は、広告リンク使用検知部３２によって検知された広告リンクの使用回数をカウントする。なお、ポイント付与部３６は、上記カウントされた広告リンクの使用回数に応じて、画像配信者１０２、広告提供者１００、又はその両方にポイントを付与する。このポイントは、例えば、上記使用回数が所定値に達するごとに（例えば、１０回、２０回、…に達するごとに）付与される。なお、上記ポイントは、例えば、上記広告リンクにより広告サイトにアクセスした閲覧者１０４が同広告サイトにおいて物品等を購入した場合には、その購入額に応じて増額されるようにしてもよい。上記ポイントは、ポイントが付与された画像配信者１０２や広告提供者１００が所定のショッピングサイトにおいて物品を購入する際に、付与されたポイント数に応じて購入代金の割引に利用することができる。また、上記ポイントは、ポイントが付与された画像配信者１０２が広告提供システム１０の管理者に支払うウェブサイトの登録料金に充当したり、ポイントが付与された広告提供者１００が広告提供システム１０の管理者に支払う広告サイトの登録料金に充当することができる。また、このポイントは、付与された画像配信者１０２や広告提供者１００の口座にポイントに応じた金額が自動的に入金されるようにしてもよい。
【００２７】
図３は、広告提供システム１０から閲覧者１０４に配信される配信用画像表示画面を示す図である。図３に示すウェブサイトの表示画面は、閲覧者１０４の表示部においてウェブサイトの表示ＧＵＩ（Graphical User Interface）として用いられるもので、操作ボタン表示領域５０、配信用画像表示領域５２、広告リンク表示領域５４及び関連リンク表示領域５６を有している。上記操作ボタン表示領域５０、配信用画像表示領域５２、広告リンク表示領域５４及び関連リンク表示領域５６において、表示内容が多く表示領域が不足した場合等には、必要に応じて垂直方向及び水平方向のスクロールバーが設けられる。また、図３の符号５８は、ブラウザプログラムの名称等が表示されるタイトルバーであり、配信用画像表示画面を最小化（アイコン化）するための最小化ボタン、最大化するための最大化ボタン及び閉じるための終了ボタン等を備える。なお、このタイトルバー５８の構成は、閲覧者１０４側のシステムを構成するオペレーションシステム（ＯＳ）により異なっていてもよい。
【００２８】
操作ボタン表示領域５０には、直前に表示された画面に戻るための「Ｂａｃｋ」ボタンや、直後に表示された画面に進むための「Ｆｏｒｗａｒｄ」ボタン、配信用画像表示画面を閉じるための「終了」ボタン等の各種の操作ボタンが表示される。配信用画像表示領域５２には、画像配信者１０２からアップロードされた配信用画像が表示される。広告リンク表示領域５４には上記配信用画像と関連する広告サイトへの広告リンクが表示され、関連リンク表示領域５６には上記配信用画像と類似する類似画像を含む関連サイトへの関連リンクが表示される。なお、広告リンク表示領域５４では、例えば、広告料を多く払った広告提供者１００の広告サイトへの広告リンクがより図中上方に表示されるようにする。また、関連リンク表示領域５６では、例えば、類似度が高い順に関連リンクが表示されるようにするとよい。
【００２９】
次に、広告提供システム１０において広告サイトを登録する処理の流れについて、図４のフローチャートを参照して説明する。まず、広告提供者１００から広告サイトがアップロードされると、この広告サイトが受け付けられて、広告サイト記憶部１２に一時記憶される（ステップＳ１０）。次に、上記アップロードされた広告サイトが、広告サイト分類部１４によって所定のカテゴリ（例えば、「旅行」、「車」、「家族」、「友人」等）に分類されて、上記カテゴリに対応する分類指標が付与される（ステップＳ１２）。なお、広告サイトが属するカテゴリについては、広告提供者１００が広告サイトのアップロード時に指定できるようにしてもよいし、広告提供システム１０に予め登録された広告提供者１００の事業内容に基づいて自動的に分類されるようにしてもよい。そして、上記分類された広告サイトが分類指標とともに広告サイト記憶部１２に記憶される（ステップＳ１４）。
【００３０】
次に、広告提供システム１０において配信用画像を配信する処理の流れについて、図５のフローチャートを参照して説明する。まず、画像配信者１０２から配信用画像がアップロードされると、この配信用画像が受け付けられて、画像記憶部１８に一時記憶される（ステップＳ２０）。次に、配信用画像の画像特徴量が取得される（ステップＳ２２）。そして、取得された画像特徴量に基づいて上記配信用画像に関連する広告サイトのカテゴリが推定され、このカテゴリに対応する分類指標が取得され、この分類指標に基づいて広告サイトが選択される（ステップＳ２４）。また、取得された画像特徴量に基づいて配信用画像と類似する類似画像を含む関連サイトが選択され（ステップＳ２６）、選択された広告サイト及び関連サイトへのリンクとともに配信用画像が配信される（ステップＳ２８）。
【００３１】
本実施形態によれば、上記配信用画像を閲覧対象として選択したウェブページの閲覧者の趣味、嗜好に合った広告サイトを配信用画像の画像特徴量に基づいて選択し当該広告サイトへのリンクを配信用画像とともに配信できる。例えば、「自動車」の配信用画像を閲覧した閲覧者１０４に対して、「自動車」に関連する広告サイト（例えば、「自動車」の販売店や「自動車」に関する雑誌等を出版する出版社等のサイト）へのリンクを配信できる。これにより、検索用の文字列の入力を行わない画像共有サイト等の一般のウェブページを配信するサービス事業者であっても広告リンクの配信による広告収入を得ることができる。また、配信用画像とともに、配信用画像と類似する類似画像を含む関連サイトへの関連リンクを配信することにより、閲覧者１０４を関連サイトに誘導できる。これにより、関連サイトに表示された広告リンクを閲覧者１０４に配信することにより広告効果を高めることができる。
【００３２】
次に、広告提供システム１０においてポイントを付与する処理の流れについて、図６のフローチャートを参照して説明する。まず、選択された広告サイト及び関連サイトへのリンクとともに配信用画像が配信される（ステップＳ３０）。なお、上述したように、ステップＳ３０において配信される広告サイトへのリンク（広告リンク）には、閲覧者１０４側においてクリックされたことを報知する報知信号を送信するためのコードが含まれている。そして、閲覧者１０４側において広告リンクがクリックされると、上記コードから送信された報知信号により広告リンクがクリックされたことが検知され（ステップＳ３２のＹｅｓ）、広告サイト配信部１６から広告サイトが配信される（ステップＳ３４）。また、広告リンク使用回数カウント部３４によってクリック回数がカウントされ、このカウント数に応じて画像配信者１０２又は広告提供者１００にポイントが付与される（ステップＳ３６）。これにより、画像や画像を含むウェブサイトを配信する画像配信者１０２や広告提供者１００に対してポイントを付与することにより、画像配信者１０２や広告提供者１００に対して広告提供システム１０を利用するモチベーションを与えることができる。これにより、画像配信者１０２や広告提供者１００の登録数や、登録される配信用画像の数を増加させることができ、広告効果を高めることができる。
【００３３】
なお、本実施形態では、画像特徴量からウェブサイトにリンクさせる広告サイトのカテゴリを決定するようにしたが、画像配信者１０２がリンクさせる広告サイトのカテゴリを指定するようにしてもよい。
【００３４】
また、本実施形態では、広告提供システム１０に広告サイトを記憶して配信するようにしたが、例えば、広告提供システム１０には、広告サイトへのアクセスに必要な情報（例えば、ＵＲＬ）を登録して、広告サイト自体は上記ＵＲＬにより特定される別のウェブサーバから配信されるようにしてもよい。
【００３５】
なお、本実施形態の広告提供システム１０は、画像共有サイトを提供するサーバに限定されず、一般のウェブページを配信するためのサーバにおいても、画像（例えば、ページを装飾するためのウェブ素材（アイコン画像等）以外の画像）を含むウェブページを選択して該ウェブページ中の画像の画像特徴量に基づいて、広告リンクや関連リンクを付与して配信するようにしてもよい。また、画像配信者１０２側において、ネットワークに接続可能な撮像装置（電子カメラ、デジタルカメラ）又はカメラ付き携帯電話等の端末により撮影された画像の画像特徴量を広告提供システム１０に送信するようにして、広告提供システム１０により受信した画像特徴量に基づいて広告サイト等を選択して、画像配信者１０２に広告リンクが上記端末に送信するようにしてもよい。
【００３６】
また、上記の処理をサーバにおいて実行するための処理プログラムを、インターネット・サービス・プロバイダ等が提供するウェブサーバに適用することにより、本発明の広告提供システム１０を実現することができる。
【図面の簡単な説明】
【００３７】
【図１】本発明の一実施形態に係る広告提供システムの構成を示す図
【図２】広告提供システム１０の主要構成を示すブロック図
【図３】広告提供システム１０から閲覧者１０４に配信される配信用画像表示画面を示す図
【図４】広告提供システム１０において広告サイトを登録する処理の流れを示すフローチャート
【図５】広告提供システム１０において配信用画像を配信する処理の流れを示すフローチャート
【図６】広告提供システム１０においてポイントを付与する処理の流れを示すフローチャート
【符号の説明】
【００３８】
１０…広告提供システム、１００…広告提供者、１０２…画像配信者、１０４…閲覧者、１２…広告サイト記憶部、１４…広告サイト分類部、１６…広告サイト配信部、１８…画像記憶部、２０…画像特徴量取得部、２２…分類指標取得部、２４…広告リンク付与部、２６…関連サイト選択部、２８…関連リンク付与部、３０…画像配信部、３２…広告リンク使用検知部、３４…広告リンク使用回数カウント部、３６…ポイント付与部、５０…操作ボタン表示領域、５２…配信用画像表示領域、５４…広告リンク表示領域、５６…関連リンク表示領域、５８…タイトルバー
【図１】
2007226345.tif 000003
【図２】
2007226345.tif 000004
【図３】
2007226345.tif 000005
【図４】
2007226345.tif 000006
【図５】
2007226345.tif 000007
【図６】
2007226345.tif 000008